(57)【要約】  【課題】  ワイヤレス伝送の能力を上げることなく、ワイヤレス伝送すべき音声信号のチャンネル数の増加に対処可能な音響再生装置を提供することを目的とする。  【解決手段】  Ｍチャンネルの音声信号を出力する音響再生装置において、  Ｍより小さいＮチャンネルの音声信号をワイヤレス伝送するワイヤレス送信手段１０及び受信手段１４と、Ｍチャンネルの音声信号からＮチャンネルの音声信号を合成する音声信号合成手段９aとを有し、前記ワイヤレス送信手段１０と受信手段１４は音声信号合成手段９aで合成されたＮチャンネルの音声信号をワイヤレス伝送する。  【選択図】  図１
2006025052.tif 000002
【特許請求の範囲】
【請求項１】
少なくともＭ（Ｍは２以上の整数）チャンネルの音声信号を出力する音声信号出力手段と、
Ｍより小さいＮ（Ｎは正の整数）チャンネルの音声信号をワイヤレス伝送するワイヤレス送信手段及び受信手段と、
Ｍチャンネルの音声信号からＮチャンネルの音声信号を合成する音声信号合成手段とを有し、
前記ワイヤレス送信手段及び受信手段は音声信号合成手段で合成されたＮチャンネルの音声信号をワイヤレス伝送することを特徴とする音響再生装置。
【請求項２】
前記ワイヤレス伝送されたＮチャンネルの音声信号をＭチャンネルの音声信号に復元する復元手段を備えることを特徴とする請求項１に記載の音響再生装置。
【請求項３】
前記音声信号合成手段による合成により生成したＮチャンネルの音声信号に対応する音声を出力するＮ個のスピーカと、
チャンネル毎に音声信号を減衰する減衰手段とを備え、
前記音声信号合成手段は、前記減衰手段により減衰されたＭチャンネルの音声信号からＮチャンネルの音声信号を合成することを特徴とする請求項１に記載の音響再生装置。
【請求項４】
前記音声信号出力手段はＭ＋Ｐ（Ｐは正の整数）チャンネルの音声信号を出力し、
前記音響再生装置はＰチャンネルの音声信号についてはワイヤード伝送し、
Ｐチャンネルの音声信号のワイヤード伝送をＭチャンネルの音声信号のワイヤレス伝送に対して遅延させる遅延手段を備えたことを特徴とする請求項１乃至請求項３のいずれかに記載の音響再生装置。
【請求項５】
前記遅延手段は、ワイヤード伝送に対してワイヤレス伝送が遅れる時間に相当する時間分遅延させることを特徴とする請求項４に記載の音響再生装置。
【請求項６】
前記遅延手段は、前記Ｍチャンネルの音声信号をワイヤード伝送する場合には、Ｐチャンネルの音声信号の伝送における遅延を行わないことを特徴とする請求項４又は請求項５に記載の音響再生装置。
【発明の詳細な説明】
【技術分野】
【０００１】
本発明は、複数のチャンネルの音声信号を出力する音響再生装置に関し、特に少なくともその一部のチャンネルの音声信号を対応する各チャンネルのスピーカにワイヤレス伝送する音響再生装置に関するものである。
【背景技術】
【０００２】
従来、複数のチャンネルの音声信号を出力する音響再生装置において、各チャンネルの音声信号に対応してスピーカが設けられ、各チャンネルのスピーカに対応するチャンネルの音声信号をワイヤレス伝送することが可能な音響再生装置が知られている。このような音響再生装置のうち、例えば５．１チャンネル（５．１チャンネルはフロント左チャンネル、フロント右チャンネル、センターチャンネル、重低音チャンネル、サラウンド左チャンネル、サラウンド右チャンネルである。そして、重低音スピーカに対応する重低音チャンネルは０．１チャンネルとする）の環境下においては、リスナー後方の２つのスピーカ（サラウンド左スピーカ、サラウンド右スピーカ）については２チャンネル用の伝送装置を用いて音声信号をワイヤレス伝送することにより、音声信号を出力するメインユニットからこの２つのスピーカへ音声信号を伝達するケーブルを不要とすることができた。  
【特許文献１】特開平６−１２５５８２号公報
【発明の開示】
【発明が解決しようとする課題】
【０００３】
しかしながら、例えば６．１チャンネルの環境下のように、リスナー後方のスピーカが３つ（サラウンド左スピーカ、サラウンド右スピーカ、サラウンドバックスピーカ）になった場合、これら３つの後方のスピーカへの音声信号のワイヤレス伝送には３チャンネル分の音声信号用のワイヤレス伝送装置が必要となる。すると、５．１チャンネルの環境下で用いられていた２チャンネルの音声信号用のワイヤレス伝送装置に比べて伝送能力が高いワイヤレス伝送装置が必要となり、結果的にコストアップを招いてしまう。また、２チャンネルの音声信号用のワイヤレス伝送装置を用いて、これら３つの後方のスピーカへ伝送すべき３つの音声信号のうち２つの音声信号のみをワイヤレス伝送した場合にあっては、３チャンネルの音声信号用のワイヤレス伝送装置を用いた場合と比べてサラウンド全体としての音質が低下してしまう。
【０００４】
本発明は、このような問題に鑑みてなされたもので、ワイヤレス伝送の能力を上げることなく、ワイヤレス伝送すべき音声信号のチャンネル数の増加に対処可能な音響再生装置を提供することを目的とする。
【課題を解決するための手段】
【０００５】
請求項１に記載の音響再生装置は、少なくともＭ（Ｍは２以上の整数）チャンネルの音声信号を出力する音声信号出力手段と、
Ｍより小さいＮ（Ｎは正の整数）チャンネルの音声信号をワイヤレス伝送するワイヤレス送信手段及び受信手段と、
Ｍチャンネルの音声信号からＮチャンネルの音声信号を合成する音声信号合成手段とを有し、
前記ワイヤレス送信手段及び受信手段は音声信号合成手段で合成されたＮチャンネルの音声信号をワイヤレス伝送することを特徴とする。
【０００６】
請求項２の発明は、請求項１に記載の音響再生装置において、前記ワイヤレス伝送されたＮチャンネルの音声信号をＭチャンネルの音声信号に復元する復元手段を備えることを特徴とする。
【０００７】
請求項３に記載の発明は、請求項１に記載の音響再生装置において、前記音声信号合成手段による合成により生成したＮチャンネルの音声信号に対応する音声を出力するＮ個のスピーカと、
チャンネル毎に音声信号を減衰する減衰手段とを備え、
前記音声信号合成手段は、前記減衰手段により減衰されたＭチャンネルの音声信号からＮチャンネルの音声信号を合成することを特徴とする。
【０００８】
請求項４に記載の発明は、請求項１乃至請求項３のいずれかに記載の音響再生装置において、前記音声信号出力手段はＭ＋Ｐ（Ｐは正の整数）チャンネルの音声信号を出力し、
前記音響再生装置はＰチャンネルの音声信号についてはワイヤード伝送し、
Ｐチャンネルの音声信号のワイヤード伝送をＭチャンネルの音声信号のワイヤレス伝送に対して遅延させる遅延手段を備えたことを特徴とする。
【０００９】
請求項５に記載の発明は、請求項４に記載の音響再生装置において、前記遅延手段は、ワイヤード伝送に対してワイヤレス伝送が遅れる時間に相当する時間分遅延させることを特徴とする。
【００１０】
請求項６に記載の発明は、請求項４又は請求項５に記載の音響再生装置において、前記遅延手段は、前記Ｍチャンネルの音声信号をワイヤード伝送する場合には、Ｐチャンネルの音声信号の伝送における遅延を行わないことを特徴とする。
【発明の効果】
【００１１】
請求項１に記載の音響再生装置によれば、音声信号合成手段によりＭチャンネルの音声信号をＮチャンネルの音声信号にチャンネル数が減らされて、Ｎチャンネルの音声信号がワイヤレス送信手段及び受信手段でワイヤレス伝送される。即ち、使用するワイヤレス伝送装置にＮチャンネル分を伝送できる伝送能力があれば、この伝送装置でＭチャンネル分の音声信号のワイヤレス伝送が可能となる。これによりワイヤレス伝送すべき音声信号のチャンネル数が、ワイヤレス伝送装置がワイヤレス伝送できるチャンネル数を越える場合であっても、ワイヤレス伝送装置のワイヤレス伝送能力を上げることなくこれらの音声信号をワイヤレス送信することが可能となり、ワイヤレス送信装置に関してコストアップを招くことがない。
【００１２】
請求項２に記載の音響再生装置によれば、復元手段によって、ワイヤレス伝送されたＮチャンネルの音声信号をワイヤレス伝送前のチャンネル数であったＭチャンネルの音声信号に戻すことができる。これにより音声信号合成手段により音声信号がＮチャンネルの音声信号にチャンネル数が減らされてワイヤレス伝送されたとしても、ユーザが所望するＭチャンネルのサラウンドを実現することができる。
【００１３】
請求項３に記載の音響再生装置によれば、減衰手段により、Ｍチャンネルの音声信号からＮチャンネルの音声信号が合成される前に予めチャンネル毎に音声信号を減衰することができるので、ユーザが再生を希望するＭチャンネルの各々の音声信号について個別にレベル調整をすることができる。これにより、例えばＭチャンネルの中から特定のチャンネルの音声の音量を調整してサラウンド全体の音量バランスを調整する際に、特定のチャンネルの音声信号と合成される他のチャンネルの音声信号についての音声に左右されることなく、特定のチャンネルの音声の音量のみを調整することが可能となる。
【００１４】
請求項４に記載の音声再生装置によれば、遅延手段によって、Ｐチャンネルの音声信号のワイヤード伝送をＭチャンネルの音声信号のワイヤレス伝送に対して遅延させる遅延手段を備えているので、ワイヤード伝送に対応するスピーカとワイヤレス伝送に対応するスピーカ間における音声の出力タイミングを補正することができる。
【００１５】
請求項５に記載の音響再生装置によれば、前記遅延手段は、ワイヤード伝送に対してワイヤレス伝送が遅れる時間に相当する時間分遅延させるので、ワイヤード伝送に対応するスピーカとワイヤレス伝送に対応するスピーカ間における音声の出力に時間差が生じることがない。
【００１６】
請求項６に記載の音声再生装置によれば、前記遅延手段は、Ｍチャンネルの音声信号をワイヤード伝送する場合には、Ｐチャンネルの音声信号の伝送における遅延を行わないので、Ｍチャンネルの音声信号の伝送方法をワイヤレス伝送とワーヤード伝送間で切り替え可能な音響再生装置において、どちらの伝送方法を選択したとしても、ワイヤード伝送に対応するスピーカとワイヤレス伝送に対応するスピーカ間における音声の出力に時間差が生じることがない。
【実施例１】
【００１７】
本実施例では、Ｐ＋Ｍチャンネルの音声信号を出力する音声信号出力手段を有する音響再生装置として、Ｐ＝４、Ｍ＝３の場合を例に説明する。本実施例では６．１チャンネル（フロント左チャンネル、フロント右チャンネル、センターチャンネル、重低音チャンネル、サラウンド左チャンネル、サラウンド右チャンネル、サラウンドバックチャンネル）の音声信号を出力し、そのうちＰチャンネルとしてフロント左チャンネル、フロント右チャンネル、センターチャンネル、重低音チャンネルが該当し、Ｍチャンネルとしてサラウンド左チャンネル、サラウンド右チャンネル、サラウンドバックチャンネルが該当する。この音響再生装置は、音声信号をリスナー前方の３つのスピーカ（フロント左スピーカ、フロント右スピーカ、センタースピーカ）と、重低音スピーカと、リスナー後方の３つのスピーカ（サラウンド左スピーカ、サラウンド右スピーカ、サラウンドバックスピーカ）に出力する。また、この音響再生装置が有するワイヤレス送信手段及び受信手段はＭより小さいＮチャンネルの音声信号をワイヤレス送信するが、本実施例ではＮ＝２（サラウンド左チャンネルの音声信号とこれに振り分けられたサラウンドバックチャンネルの音声信号と、サラウンド右チャンネルの音声信号とこれに振り分けられたサラウンドバックの音声信号の合計２チャンネルの音声信号である。）の場合について説明する。
【００１８】
図１は、本発明の一実施例である音響再生装置の概略構成を示すブロック図である。
【００１９】
本実施例に係る音響再生装置は、メインユニット１とフロントアンプユニット２とサラウンドンプユニット３の３つのユニットを基本構成としている。フロントアンプユニット２にはフロント左スピーカとフロント右スピーカとセンタースピーカと重低音スピーカの４つのスピーカがワイヤード接続され、サラウンドンプユニット３にはサラウンド左スピーカとサラウンド右スピーカとサラウンドバックスピーカの３つのスピーカがワイヤード接続される。以下、これらの各ユニットの具体的構成について説明する。
【００２０】
メインユニット１は、制御部４と音声信号発生部５と音声信号出力手段として機能する音声信号処理部６と入力部７とから成る。制御部４は、本実施例に係る音響再生装置における各種制御を行う。音声信号発生部５は、ＤＶＤなどのソースから入力されたデジタル音声信号を音声信号処理部６に出力する。
【００２１】
ここで、図２を用いて、図１に示すメインユニット１内の音声信号処理部６の概略構成を説明する。音声信号発生部５は、ＤＶＤなどのソースから、フレーム分割された音声ストリームとして入力された５．１チャンネルのデジタル音声信号をオーディオＤＳＰ１７に出力する。そしてオーディオＤＳＰ１７中のオーディオデコーダ１６は、５．１チャンネルのデジタル音声信号をデコードする。また、オーディオＤＳＰ１７は、オーディオデコーダ１６においてデコードされたデジタル音声信号を５．１チャンネルから６．１チャンネルにするサラウンド処理及び遅延手段として機能して後述する遅延処理を行い、これをＤ／Ａコンバータ１９に出力する。メモリ１８は、オーディオＤＳＰ１７から出力されたデジタル音声信号を一旦ストアし、オーディオＤＳＰ１７に出力するものである。Ｄ／Ａコンバータ１９は、オーディオＤＳＰ１７から出力されたデジタル音声信号のアナログ音声信号への変換を行い、これをボリュームＩＣ２０に出力する。ボリュームＩＣ２０は、Ｄ／Ａコンバータ１９から出力されたアナログ音声信号についての音声の減衰量をチャンネル毎に調整し、これをケーブルＡに出力するものである。尚、本実施例においてはＤＶＤから音声信号発生部５に入力されるデジタル音声信号は５．１チャンネルであるが、本発明においてはＤＶＤから出力されるデジタル音声信号が５．１チャンネルに限られず、例えばDolby Digitalなどの６．１チャンネルの場合であってもよい。
【００２２】
入力部７は、ユーザによる図示しないキーやボタンの押下によって制御部４へ制御信号を出力することにより、ユーザが所望する音響再生装置の動作制御を可能にするものである。
【００２３】
フロントアンプユニット２は、３．１チャンネルアンプ部８と切替部Ｆ９とワイヤレス送信ユニット１０とソケット１１とから成る。切替部Ｆ９は、ワイヤレス伝送する場合とワイヤード伝送する場合に各々対応して、音声信号処理部６からケーブルＡを通ってワイヤレス送信ユニット１０とソケットＦ１１に出力されるアナログ音声信号の信号出力経路を選択的に切り替える。また、切替部Ｆ９は、図３に示すように音声信号合成手段として機能するダウンミックス回路９aを有しており、ワイヤレス送信する場合には、３チャンネルのアナログ音声信号（サラウンド左チャンネル、サラウンド右チャンネル、サラウンドバックチャンネル）がＡ／Ｄコンバータ９bによりデジタル音声信号に変換された後、このダウンミックス回路９aにより２チャンネルのデジタル音声信号に合成されて（サラウンドバックチャンネルの音声信号がサラウンド右チャンネルの音声信号とサラウンド左チャンネルの音声信号の各々に振り分けられ合成される。）、ワイヤレス送信ユニット１０に出力される。ワイヤレス送信ユニット１０は、切替部Ｆ９から入力された２チャンネルのデジタル音声信号のバッファリング処理及びＲＦエンコード処理を行い、その後後述するワイヤレス受信ユニット１４に向けてワイヤレス送信する。３．１チャンネルアンプ部８は、６．１チャンネルのアナログ音声信号のうちフロント左チャンネルとフロント右チャンネルとセンターチャンネルと重低音チャンネルのアナログ音声信号を増幅後、ワイヤード接続された各々対応するフロント左スピーカとフロント右スピーカとセンタースピーカと重低音スピーカに出力する。ソケットＦ１１は、フロントアンプユニット２側にてケーブルＢを接続するためのものである。
【００２４】
サラウンドンプユニット３は、３チャンネルアンプ１２と、切替部Ｒ１３と、ワイヤレス受信ユニット１４と、ソケットＲ１５とから成る。３チャンネルアンプ１２は、サラウンド左チャンネルとサラウンド右チャンネルとサラウンドバックチャンネルのアナログ音声信号が入力され増幅した後、ワイヤード接続された各々対応するサラウンド左スピーカとサラウンド右スピーカとサラウンドバックスピーカに出力する。切替部Ｒ１３は、ワイヤレス伝送する場合とワイヤレス伝送しない場合に各々対応して、ワイヤレス受信ユニット１４とソケットＲ１５とから３チャンネルアンプ１２へ出力されるアナログ音声信号の信号出力経路を選択的に切り替える。また、切替部Ｒ１３は、図４に示すように音声信号復元手段として機能するマトリックスデコード回路１３aを有しており、ワイヤレス伝送した場合には、このマトリックスデコード回路１３aにより切替部Ｆ９のダウンミックス回路９aにより３チャンネルから２チャンネルに合成されたデジタル音声信号が元の３チャンネル（サラウンド左チャンネル、サラウンド右チャンネル、サラウンドバックチャンネル）のデジタル音声信号に復元後、アナログ音声信号に変換され、３チャンネルアンプ１２に出力される。ワイヤレス受信ユニット１４は、ワイヤレス送信ユニット１０からワイヤレス受信した２チャンネルのデジタル音声信号をバッファリング処理し、これらデジタル音声信号を切替部１３に出力する。ソケットＲ１５は、サラウンドンプユニット３側にてケーブルＢを接続するためのものである。
【００２５】
次に、６．１チャンネルの音声信号のうちサラウンド左チャンネルとサラウンド右チャンネルとサラウンドバックチャンネルの音声信号をワイヤレス伝送する場合の音声信号処理の流れについて、図５を用いて説明する。
【００２６】
まず、ＤＶＤから５．１チャンネルのデジタル音声信号が音声信号発生部５に入力される（Ｓ１）。音声信号処理部６では、音声信号発生部５から入力された５．１チャンネルのデジタル音声信号の各種音声処理（デコード処理、５.１チャンネルから６．１チャンネルへのデジタル音声信号のサラウンド処理、後述する遅延処理、アナログ音声信号への変換、各チャンネルの音声信号毎の減衰処理）が行われる（Ｓ２）。音声信号処理部６から出力された６．１チャンネルのアナログ音声信号はケーブルＡを通じてフロントアンプユニット２に入力される。このフロントアンプユニット２に入力された６．１チャンネルのアナログ音声信号のうちフロント左チャンネルとフロント右チャンネルとセンターチャンネルと重低音チャンネルのアナログ音声信号は（Ｓ４のＮ）、３．１チャンネルアンプ部８に入力されて各々増幅された後（Ｓ５）、各々対応するフロント左スピーカとフロント右スピーカとセンタースピーカと重低音スピーカに出力される（Ｓ６）。
【００２７】
一方、この６．１チャンネルのアナログ音声信号のうちサラウンド左チャンネルとサラウンド右チャンネルとサラウンドバックチャンネルのアナログ音声信号は（Ｓ４のＹ）、切替部Ｆ９において各々デジタル音声信号に変換された後（Ｓ７）、切替部Ｆ９が有するダウンミックス回路９aにおいて３チャンネルのデジタル音声信号から２チャンネルのデジタル音声信号に合成され（Ｓ８）、ワイヤレス送信ユニット１０に入力される。ワイヤレス送信ユニット１０に入力された２チャンネルのデジタル音声信号は、ＲＦエンコード処理及びバッファリング処理され（Ｓ９）、ワイヤレス受信ユニット１４に向けてワイヤレス送信される（Ｓ１０）。ワイヤレス受信ユニット１４では２チャンネルのデジタル音声信号を受信し、バッファリング処理及びＲＦデコード処理する（Ｓ１１）。その後、切替部Ｒ１３が有するマトリックスデコード回路１３aによって２チャンネルのデジタル音声信号は３チャンネルのデジタル音声信号に復元され（Ｓ１２）、各々アナログ音声信号に変換される（Ｓ１３）。このアナログ音声信号は、３チャンネルアンプ１２に入力されて各々増幅された後（Ｓ１４）、各々対応するサラウンド左チャンネルスピーカとサラウンド右チャンネルスピーカとサラウンドバックスピーカに出力される（Ｓ１５）。
【００２８】
一般には、例えば５．１チャンネルのスピーカ出力のあるマルチチャンネル環境では、スピーカの位置に応じて遅延時間の設定がされるが、単純に音声信号処理部６による遅延処理を行わない場合、ワイヤレス送信ユニット１０におけるＲＦエンコードとバッファリング処理及びワイヤレス受信ユニット１４におけるバッファリング及びデコード処理にはある程度の時間を要するため、ワイヤレス伝送によってサラウンド左チャンネルとサラウンド右チャンネルとサラウンドバックチャンネルの音声信号が音声信号処理部６から対応するスピーカに入力されるタイミングは、ワイヤード伝送によってフロント左チャンネルとフロント右チャンネルとセンターチャンネルと重低音チャンネルの音声信号が音声信号処理部６から対応するスピーカに入力されるタイミングに比べて一定時間遅延してしまう。すると、サラウンド左チャンネルスピーカとサラウンド右チャンネルスピーカとサラウンドバックスピーカからはフロント左チャンネルスピーカとフロント右チャンネルスピーカとセンターチャンネルスピーカと重低音チャンネルスピーカより遅れて音声が出力されることになる。本実施例においては、ワイヤード伝送によってフロント左チャンネルとフロント右チャンネルとセンターチャンネルと重低音チャンネルの音声信号が音声信号処理部６から対応するチャンネルスピーカへ入力されるタイミングに対して、ワイヤレス伝送によってサラウンド左チャンネルとサラウンド右チャンネルとサラウンドバックチャンネルの音声信号が音声信号処理部６から対応するチャンネルスピーカへ入力されるタイミングが遅れる時間に相当する時間分、フロント左チャンネルとフロント右チャンネルとセンターチャンネルと重低音チャンネルの音声信号のワイヤード伝送を遅延させることによって、各チャンネルスピーカから時間差が生じることがなく、音声が出力される。      
【００２９】
遅延処理は、例えば次のように行われる。まず、制御部の制御によりオーディオＤＳＰ１７は、音声信号発生部５から出力された５．１チャンネルの音声信号のうち、フロント左チャンネルとセンターチャンネルとフロント右チャンネルと重低音チャンネルの音声信号を音声信号処理部６内のメモリ１８に一旦ストアする。そして、音声信号処理部６におけるサラウンド左チャンネルとサラウンド右チャンネルとサラウンドバックチャンネルの音声信号の出力開始時から前述した遅延時間分経過した後、制御部４の制御によりオーディオＤＳＰは、音声信号処理部６内のメモリ１８からストアされていたフロント左チャンネルとフロント右チャンネルとセンターチャンネルと重低音チャンネルの音声信号を順次読み出し、これらの音声信号をケーブルＡ等を経由して、各々対応するチャンネルスピーカに出力する。
【００３０】
次に、正常にワイヤレス伝送できていない場合などに、フロントアンプユニット２とサラウンドンプユニット３間のサラウンド左チャンネルとサラウンド右チャンネルとサラウンドバックチャンネルの音声信号の伝送を、ワイヤレス伝送からケーブルＢを用いたワイヤード伝送に切り替える処理について説明する。サラウンド左チャンネルとサラウンド右チャンネルとサラウンドバックチャンネルの音声信号をワイヤード伝送する場合は、ワイヤレス伝送時のようにサラウンド左チャンネルとサラウンド右チャンネルとサラウンドバックチャンネルの音声信号のバッファリング処理やＲＦエンコード／デコード処理が必要ないため、サラウンド左チャンネルとサラウンド右チャンネルとサラウンドバックチャンネルの音声信号と、フロント左チャンネルとフロント右チャンネルとセンターチャンネルと重低音チャンネルの音声信号との間で、音声信号処理部６から対応するチャンネルスピーカへの音声出力に遅延は生じない。そこで、サラウンド左チャンネルとサラウンド右チャンネルとサラウンドバックチャンネルの音声信号についても対応するチャンネルスピーカにワイヤード伝送する場合、制御部４が音声信号処理部６内のオーディオＤＳＰ１７が遅延処理を行わないように制御する。
【００３１】
本実施例の音響再生装置によれば、ダウンミックス回路９aにより３チャンネルの音声信号（サラウンド左チャンネルのデジタル音声信号とサラウンド右チャンネルのデジタル音声信号とサラウンドバックチャンネルのデジタル音声信号）が２チャンネルの音声信号（サラウンド左チャンネルの音声信号とこれに振り分けられたサラウンドバックチャンネルの音声信号と、サラウンド右チャンネルの音声信号とこれに振り分けられたサラウンドバックの音声信号の２つの音声信号の音声信号）にチャンネル数が減らされて、２チャンネルの音声信号がワイヤレス送信ユニット１０及びワイヤレス受信ユニット１４でワイヤレス送信される。しかもマトリックスデコード回路によりこの２チャンネルのデジタル音声信号を元の３チャンネルのデジタル音声信号に戻されるので、ワイヤレス伝送すべきデジタル音声信号のチャンネル数が３チャンネルであっても、２チャンネルの音声信号のワイヤレス送信の場合と同様に、２チャンネル用の伝送装置を用いてワイヤレス伝送することができる。これによりワイヤレス伝送装置に２チャンネル分の伝送能力があれば３チャンネル分の音声信号を伝送することができるので、ワイヤレス伝送装置に関してコストアップを招くことなく６．１チャンネルのサラウンドを実現することができる。
【００３２】
また、本実施例の音響再生装置によれば、音声信号処理部６内のオーディオＤＳＰ１７が、フロント左チャンネルとフロント右チャンネルとセンターチャンネルと重低音チャンネルの音声信号のワイヤード伝送を、サラウンド左チャンネル、サラウンド右チャンネル、サラウンドバックチャンネルの音声信号のワイヤレス伝送に対して遅延させ、この遅延は前記ワイヤード伝送に対して前記ワイヤレス伝送が遅れる時間に相当する時間分の遅延であるため、フロント左チャンネルとフロント右チャンネルとセンターチャンネルと重低音チャンネルのスピーカと、サラウンド左チャンネル、サラウンド右チャンネル、サラウンドバックチャンネルのスピーカ間における音声の出力に時間差が生じることがない。
【００３３】
さらに、本実施例の音響再生装置によれば、サラウンド左チャンネルとサラウンド右チャンネルの音声信号とサラウンドバックチャンネルの音声信号をワイヤード伝送する場合には、制御部４の制御によって音声信号処理部６内のオーディオＤＳＰは、フロント左チャンネルとフロント右チャンネルとセンターチャンネルと重低音チャンネルの音声信号の伝送における遅延を行わないため、サラウンド左チャンネルとサラウンド右チャンネルとサラウンドバックチャンネルの音声信号の伝送方法をワイヤレス伝送からワイヤード伝送に切り替えたとしても、フロント左チャンネルとフロント右チャンネルとセンターチャンネルと重低音チャンネルのスピーカと、サラウンド左チャンネル、サラウンド右チャンネル、サラウンドバックチャンネルのスピーカ間における音声の出力に時間差が生じることがない。
【実施例２】
【００３４】
本実施例では、Ｐ＋Ｍチャンネルの音声信号を出力する音声信号出力手段を有する音声再生装置として、実施例１の場合と同様に、Ｐ＝４、Ｍ＝３の場合を例に説明する。本実施例では、６．１チャンネル（フロント左チャンネル、フロント右チャンネル、センターチャンネル、重低音チャンネル、サラウンド左チャンネル、サラウンド右チャンネル、サラウンドバックチャンネル）の音声信号を出力し、そのうち、Ｐチャンネルとしてフロント左チャンネル、フロント右チャンネル、センターチャンネル、重低音チャンネルが該当し、Ｍチャンネルとしてサラウンド左チャンネル、サラウンド右チャンネル、サラウンドバックチャンネルが該当する。この音響再生装置は、音声信号をリスナー前方の３つのスピーカ（フロント左スピーカ、フロント右スピーカ、センタースピーカ）と、重低音スピーカと、リスナー後方の２つのスピーカ（サラウンド左スピーカ、サラウンド右スピーカ）に出力する。本実施例の音響再生装置は、リスナー後方のスピーカが２つ（サラウンド左チャンネルスピーカ、サラウンド右チャンネルスピーカ）である点で、リスナー後方のスピーカが３つ（サラウンド左チャンネルスピーカ、サラウンド右チャンネルスピーカ、サラウンドバックスピーカ）である実施例１の音響再生装置と相違する。また、この音響再生装置が有するワイヤレス送信手段及び受信手段はＭより小さいＮチャンネルの音声信号をワイヤレス伝送するが、実施例１の場合と同様に、Ｎ＝２（サラウンド左チャンネルの音声信号とこれに振り分けられたサラウンドバックチャンネルの音声信号と、サラウンド右チャンネルの音声信号とこれに振り分けられたサラウンドバックの音声信号の合計２チャンネルの音声信号である。）の場合について説明する。
【００３５】
本発明の一実施例である音響再生装置の概略構成については、図１に示す実施例１の場合と同様であるが、サラウンドンプユニットの概略構成については実施例１の場合と相違する。以下、本実施例におけるサラウンドンプユニットの概略構成について図６を用いて説明する。サラウンドンプユニット３aにはサラウンド左スピーカとサラウンド右スピーカの２つのスピーカがワイヤード接続される。サラウンドンプユニット３aは、２チャンネルアンプ２１と、切替部Ｒ２３と、ワイヤレス受信ユニット１４と、ソケットＲ２３とから成る。
【００３６】
切替部Ｒ１３は、ワイヤレス伝送する場合とワイヤレス伝送しない場合に各々対応して、ワイヤレス受信ユニット１４と、ソケットＲ２３とから２チャンネルアンプ１２へ出力されるアナログ音声信号の信号出力経路を選択的に切り替える。ここで、実施例１における切替部Ｒ１３は、図４に示すように音声信号復元手段として機能するマトリックスデコード回路１３aを有していたが、図７に示すように本実施例における切替部Ｒ２２はマトリックスデコード回路１３aを有しておらず、ワイヤレス伝送した場合には、２チャンネルのデジタル音声信号（ダウンミックス回路９aによって、サラウンドバックチャンネルの音声信号がサラウンド右チャンネルの音声信号とサラウンド左チャンネルの音声信号の各々に振り分けられ合成されたものである。）が元の３チャンネル（サラウンド左チャンネル、サラウンド右チャンネル、サラウンドバックチャンネル）のデジタル音声信号に復元されることがない。ワイヤレス受信ユニット１４は、ワイヤレス送信ユニット１０からワイヤレス受信した２チャンネルのデジタル音声信号をバッファリング処理し、これらデジタル音声信号を切替部１３に出力する。ソケットＲ１５は、サラウンドンプユニット３側にてケーブルＢを接続するためのものである。２チャンネルアンプ２１は、３チャンネルの音声信号の合成によって生成された２チャンネルのデジタル音声信号を増幅した後、ワイヤード接続された各々対応するサラウンド左スピーカとサラウンド右スピーカに出力する。このとき、サラウンドバックチャンネルの音声は、サラウンド左チャンネルの音声が出力されるサラウンド左スピーカとサラウンド右チャンネルの音声が出力されるサラウンド右スピーカから出力されるので、リスナーはあたかもサラウンド左スピーカとサラウンド右スピーカの間に仮想のサラウンドバックスピーカがあり、そこからサラウンドバックチャンネルの音声信号が出力されているように感じられる（所謂ファントムモード）。
【００３７】
次に、６．１チャンネルの音声信号のうちサラウンド左チャンネルとサラウンド右チャンネルとサラウンドバックチャンネルの音声信号をワイヤレス伝送する場合の音声信号処理の流れについて、図８を用いて説明する。
【００３８】
まず、ＤＶＤから５．１チャンネルのデジタル音声信号が音声信号発生部５に入力される（Ｓ１）。音声信号処理部６では、音声信号発生部５から入力された５．１チャンネルのデジタル音声信号の各種音声処理（デコード処理、５．１チャンネルから６．１チャンネルへのデジタル音声信号のサラウンド処理、後述する遅延処理、アナログ音声信号への変換、各チャンネルの音声信号毎の減衰処理）が行われる（Ｓ２）。音声信号処理部６から出力された６．１チャンネルのアナログ音声信号はケーブルＡを通じてフロントアンプユニット２に入力される。このフロントアンプユニット２に入力された６．１チャンネルのアナログ音声信号のうちフロント左チャンネルとフロント右チャンネルとセンターチャンネルと重低音チャンネルのアナログ音声信号は（Ｓ４のＮ）、３．１チャンネルアンプ部８に入力されて各々増幅された後（Ｓ５）、各々対応するフロント左スピーカとフロント右スピーカとセンタースピーカと重低音スピーカに出力される（Ｓ６）。
【００３９】
一方、この６．１チャンネルのアナログ音声信号のうちサラウンド左チャンネルとサラウンド右チャンネルとサラウンドバックチャンネルのアナログ音声信号は（Ｓ４のＹ）、切替部Ｆ９において各々デジタル音声信号に変換された後（Ｓ７）、切替部Ｆ９が有するダウンミックス回路９aにおいて３チャンネルのデジタル音声信号から２チャンネルのデジタル音声信号に合成され（Ｓ８）、ワイヤレス送信ユニット１０に入力される。ワイヤレス送信ユニット１０に入力された２チャンネルのデジタル音声信号は、ＲＦエンコード処理及びバッファリング処理され（Ｓ９）、ワイヤレス受信ユニット１４に向けてワイヤレス送信される（Ｓ１０）。ワイヤレス受信ユニット１４では２チャンネルのデジタル音声信号を受信し、バッファリング処理及びＲＦデコード処理する（Ｓ１１）。その後、切替部Ｒ２２がこれらを各々アナログ音声信号に変換する（Ｓ１３）。このアナログ音声信号は、２チャンネルアンプ２１に入力されて各々増幅された後（Ｓ１４）、サラウンド左チャンネルスピーカとサラウンド右チャンネルスピーカに出力される（Ｓ１５）。このとき、上述したように、サラウンドバックチャンネルの音声信号はサラウンド左スピーカとサラウンド右スピーカから出力される（所謂ファントムモード）。
【００４０】
また、音声信号処理部６による遅延処理、正常にワイヤレス伝送できていない場合などに、フロントアンプユニット２とサラウンドンプユニット３間のサラウンド左チャンネルとサラウンド右チャンネルの音声信号の伝送を、ワイヤレス伝送からケーブルＢを用いたワイヤード伝送に切り替える処理については、実施例１の場合と同様である。
【００４１】
尚、サラウンド左チャンネルの音声信号とサラウンド右チャンネルの音声信号とサラウンドバックチャンネルの音声信号の各々の減衰処理は、フロントアンプユニット２の切替部Ｆ９内のダウンミックス回路９aにより３チャンネルから２チャンネルに合成（サラウンドバックチャンネルの音声信号がサラウンド左チャンネルの音声信号とサラウンド右チャンネルの音声信号の各々に振り分けられ合成される。）されたデジタル音声信号に対して行われるのではなく、ダウンミックス回路９aにより合成される前に音声信号処理部６のボリュームＩＣ２０において行われる（Ｓ２）。従って、サラウンド左チャンネルの音声信号とこれに合成されたサラウンドバックチャンネルの音声信号（又はサラウンド右チャンネルの音声信号とこれに合成されたサラウンドバックチャンネルの音声信号）が一緒に減衰処理されることがない。これにより、サラウンド左チャンネルの音声信号、サラウンド右チャンネルの音声信号、サラウンドバックチャンネルの音声信号をそれぞれ個別に減衰処理することができ、例えばユーザによる入力部７の図示しない操作ボタンの押下によって各々のスピーカから出力される音声を調整してサラウンド全体の音量バランスを設定する際に、サラウンドバックチャンネルの音声信号に対応する音量のみを、サラウンド左チャンネルの音声信号やサラウンド右チャンネルの音声信号に対応する音量に左右されることなく調整することができる。
【００４２】
本実施例の音響再生装置によれば、ダウンミックス回路９aによるデジタル音声信号の合成により、３チャンネルの音声信号（サラウンド左チャンネルのデジタル音声信号とサラウンド右チャンネルのデジタル音声信号とサラウンドバックチャンネルのデジタル音声信号）が２チャンネルの音声信号（サラウンド左チャンネルの音声信号とこれに振り分けられたサラウンドバックチャンネルの音声信号と、サラウンド右チャンネルの音声信号とこれに振り分けられたサラウンドバックの音声信号の２つの音声信号の音声信号）にチャンネル数が減らされて、２チャンネルの音声信号がワイヤレス送信ユニット１０及びワイヤレス受信ユニット１４でワイヤレス伝送される。しかもサラウンドバックチャンネルの音声信号はサラウンド左スピーカとサラウンド右スピーカの双方に振り分けられて出力されるので、リスナーはあたかもサラウンド左スピーカとサラウンド右スピーカの間に仮想のサラウンドバックスピーカがあり、そこからサラウンドバックチャンネルの音声信号が出力されているように感じられる（所謂ファントムモード）。従って、ワイヤレス伝送すべきデジタル音声信号が３チャンネルであっても、２チャンネルの音声信号のワイヤレス送信の場合と同様に、２チャンネル用の伝送装置を用いてワイヤレス伝送して、これを所謂ファントムモードによって出力することにより、後方のスピーカからあたかも３チャンネル分の音声信号が出力されているように感じることができる。これによりワイヤレス伝送装置に２チャンネル分の伝送能力があれば３チャンネル分の音声信号を伝送することができるので、ワイヤレス伝送装置に関してコストアップを招くことなく６．１チャンネルのサラウンドを擬似的に実現することができる。
【００４３】
また、本実施例の音響再生装置によれば、実施例１の場合と同様に、音声信号処理部６内のオーディオＤＳＰ１７が、フロント左チャンネルとフロント右チャンネルとセンターチャンネルと重低音チャンネルの音声信号のワイヤード伝送を、サラウンド左チャンネル、サラウンド右チャンネル、サラウンドバックチャンネルの音声信号のワイヤレス伝送に対して遅延させ、この遅延は前記ワイヤード伝送に対して前記ワイヤレス伝送が遅れる時間に相当する時間分の遅延であるため、フロント左チャンネルとフロント右チャンネルとセンターチャンネルと重低音チャンネルのスピーカと、サラウンド左チャンネル、サラウンド右チャンネルのスピーカ間における音声の出力に時間差が生じることがない。
【００４４】
また、本実施例の音響再生装置によれば、実施例１の場合と同様に、サラウンド左チャンネルとサラウンド右チャンネルの音声信号とサラウンドバックチャンネルの音声信号をワイヤード伝送する場合には、制御部４の制御によって音声信号処理部６内のオーディオＤＳＰは、フロント左チャンネルとフロント右チャンネルとセンターチャンネルと重低音チャンネルの音声信号の伝送における遅延を行わないため、サラウンド左チャンネルとサラウンド右チャンネルとサラウンドバックチャンネルの音声信号の伝送方法をワイヤレス伝送からワーヤード伝送に切り替えたとしても、フロント左チャンネルとフロント右チャンネルとセンターチャンネルと重低音チャンネルのスピーカと、サラウンド左チャンネル、サラウンド右チャンネルのスピーカ間における音声の出力に時間差が生じることがない。
【００４５】
さらに、本実施例の音響再生装置によれば、例えばユーザによる入力部７の図示しない操作ボタンの押下によってサラウンドバックチャンネルの音声信号に対応する音声の音量を調整してサラウンド全体の音量バランスを設定する場合、音声信号処理部６のボリュームＩＣ２０において、３つの音声信号（サラウンドバックチャンネルの音声信号と、ダウンミックス回路９aによって当該サラウンドバックチャンネルの音声信号と合成されるサラウンド左チャンネルの音声信号及びサラウンド右チャンネルの音声信号）をそれぞれ個別に減衰処理することができるため、たとえダウンミックス回路９aによって音声信号が合成されたとしてもサラウンドバックチャンネルの音声信号に対応する音量のみをサラウンド左チャンネルの音声信号やサラウンド右チャンネルの音声信号に対応する音量に左右されることなく調整することができる。
【００４６】
尚、実施例１及び実施例２においては、Ｐ＋Ｍチャンネルの音声信号を出力する音声再生装置において、Ｐ＝４、Ｍ＝３であり、ワイヤレス送信するチャンネル数Ｎ＝２であるが、本発明においてはＰ、Ｍ、Ｎはこれら限られず、例えばＰ＝３、Ｍ＝４、Ｎ＝２（但しＮ＜Ｍ）など様々な正の整数を採用することができる。    
【図面の簡単な説明】
【００４７】
【図１】本発明の一実施例である音響再生装置の概略構成を示す図である。
【図２】図１に示すメインユニット１の音声信号処理部６の概略構成を示すブロック図である。
【図３】切替部Ｆ９の概略配線図である。
【図４】切替部Ｆ１３aの概略配線図である。
【図５】実施例１において、サラウンド左チャンネルとサラウンド右チャンネルとサラウンドバックチャンネルの音声信号をワイヤレス伝送する場合の音声信号処理の流れを示すフローチャートである。
【図６】サラウンドンプユニット３aの概略構成を示す図である。
【図７】切替部Ｒ２２の概略配線図である。
【図８】実施例２において、サラウンド左チャンネルとサラウンド右チャンネルとサラウンドバックチャンネルの音声信号をワイヤレス伝送する場合の音声信号処理の流れを示すフローチャートである。
【符号の説明】
【００４８】
６  音声信号処理部
９a  ダウンミックス回路
１０  ワイヤレス送信ユニット
１３a  マトリックスデコード回路
１４  ワイヤレス受信ユニット
１７  オーディオＤＳＰ
２０  ボリュームＩＣ  
【図１】
2006025052.tif 000003
【図２】
2006025052.tif 000004
【図３】
2006025052.tif 000005
【図４】
2006025052.tif 000006
【図５】
2006025052.tif 000007
【図６】
2006025052.tif 000008
【図７】
2006025052.tif 000009
【図８】
2006025052.tif 000010